【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
被写体の光学像を形成する複数の結像光学系と、前記複数の結像光学系にそれぞれ対応する撮像領域を有し、対応する結像光学系が形成した前記光学像を光電変換する撮像素子を有する撮像装置であって、
出力画素数と、フレームレートと、前記複数の結像光学系の少なくとも二つの結像光学系を使用して実現可能な複眼機能と、の関係を表すテーブルを記憶する記憶手段と、
前記出力画素数、前記フレームレート、および、前記複眼機能を含む複数の項目のうちの第１の項目の設定データとして第１の設定データが入力された場合、前記記憶手段に格納された前記テーブルにおいて前記第１の項目が前記第１の設定データになる前記複数の項目の組み合わせに基づいて、前記複数の項目のうち前記第１の項目を除いた残りの項目の設定データを設定する制御手段と、
を有することを特徴とする撮像装置。
【請求項２】
前記制御手段は、前記テーブルにおいて、前記第１の項目の前記第１の設定データと前記残りの項目の現在の設定データからなる組み合わせを選択することを特徴とする請求項１に記載の撮像装置。
【請求項３】
前記制御手段は、前記テーブルにおいて、前記第１の項目の前記第１の設定データと前記残りの項目の現在の設定データからなる組み合わせが取り得ない場合に、前記第１の項目について前記第１の設定データを選択し、前記残りの項目のうち優先される項目について現在の設定データを選択し、前記残りの項目のうち優先されない項目について現在の設定データとは異なる設定データを選択することを特徴とする請求項１に記載の撮像装置。
【請求項４】
前記複数の結像光学系は、異なる画角を有する複数の結像光学系を含み、
前記複眼機能は、第１の機能項目と、前記第１の機能項目よりも少ない数の結像光学系によって実現される第２の機能項目と、を含み、
前記第１の機能項目は前記画角の変更を含み、前記第２の機能項目は前記画角の変更を含まないことを特徴とする請求項１乃至３のうちいずれか１項に記載の撮像装置。
【請求項５】
前記残りの項目のうちの第２の項目を第２の設定データにする入力がなされた場合、前記制御手段は、前記テーブルにおいて、前記第１の項目が前記第１の設定データになり、前記第２の項目が前記第２の設定データになる前記複数の項目の組み合わせに基づいて、前記複数の項目のうち前記第１の項目と前記第２の項目を除いた残りの項目の設定データを設定することを特徴とする請求項１に記載の撮像装置。
【請求項６】
前記制御手段は、前記テーブルにおいて、前記第１の項目の前記第１の設定データと前記第２の項目の前記第２の設定データと前記残りの項目の現在の設定データからなる組み合わせを選択することを特徴とする請求項５に記載の撮像装置。
【請求項７】
前記制御手段は、前記テーブルにおいて、前記第１の項目の前記第１の設定データと前記第２の項目の前記第２の設定データと前記残りの項目の現在の設定データからなる組み合わせが取り得ない場合に、前記第１の項目の前記第１の設定データと前記第２の項目の前記第２の設定データと前記残りの項目の現在の設定データに最も近い組み合わせを選択することを特徴とする請求項５に記載の撮像装置。
【請求項８】
前記制御手段は、設定変更の警告をすることを特徴とする請求項３または７に記載の撮像装置。
【請求項９】
前記複数の項目は第１、第２、第３の項目からなり、３種類のテーブルが設けられ、
前記制御手段は、前記第１の項目を行または列の一方に有し、前記第２の項目を前記行または前記列の他方に有し、前記第２の項目が取り得る各設定データに対して前記第３の項目が取り得る設定データを割り当てたテーブルを前記３種類のテーブルの中から選択し、
前記制御手段は、前記３種類のテーブルの中から選択された前記テーブルにおいて、前記第１の項目の前記第１の設定データと前記第２の項目の前記第２の設定データを維持した状態で前記第３の項目の設定データを変更することによって前記３つの項目の取り得る組み合わせを選択することを特徴とする請求項７に記載の撮像装置。
【請求項１０】
使用不能な機能項目と、使用可能な機能項目と、を異なる表示方法で表示する表示手段を更に有することを特徴とする請求項１乃至９のうちいずれか１項に記載の撮像装置。
【請求項１１】
前記複眼機能は、ノイズリダクション、ハイダイナミックレンジ画像の形成、ボケ付加、不要物除去、リフォーカス、異なる画角の画像を合成することによるズームのうちの１以上を含むことを特徴とする請求項１乃至１０のうちいずれか１項に記載の撮像装置。
【請求項１２】
被写体の光学像を形成する複数の結像光学系と、前記複数の結像光学系にそれぞれ対応する撮像領域を有し、対応する結像光学系が形成した前記光学像を光電変換する撮像素子を有する撮像装置の制御方法であって、出力画素数と、フレームレートと、前記複数の結像光学系の少なくとも二つの結像光学系を使用して実現可能な複眼機能とを含む複数の項目のうち第１の項目の設定データとして第１の設定データが入力された場合、前記複数の項目の関係を表すテーブルに、前記第１の項目が前記第１の設定データを有し、残りの項目が維持される第１の組み合わせが存在するかどうかを判断するステップと、
前記第１の組み合わせが前記テーブルに存在すると判断した場合は前記第１の組み合わせを設定し、前記第１の組み合わせが前記テーブルに存在しないと判断した場合は前記第１の組み合わせに最も近い前記テーブルに存在する第２の組み合わせを設定するステップと、を含むことを特徴とする制御方法。
【請求項１３】
前記残りの項目のうちの第２の項目を第２の設定データにする入力がなされた場合、前記テーブルにおいて、前記第１の項目が前記第１の設定データであり、前記第２の項目が前記第２の設定データである前記複数の項目の組み合わせに基づいて、前記複数の項目のうち前記第１の項目と前記第２の項目を除いた残りの項目の設定データを設定することを特徴とする請求項１２に記載の制御方法。
【請求項１４】
前記テーブルにおいて、前記第１の項目の前記第１の設定データと前記第２の項目の前記第２の設定データと前記残りの項目の現在の設定データからなる組み合わせを選択することを特徴とする請求項１３に記載の制御方法。
【請求項１５】
前記テーブルにおいて、前記第１の項目の前記第１の設定データと前記第２の項目の前記第２の設定データと前記残りの項目の現在の設定データからなる組み合わせが取り得ない場合に、前記第１の項目の前記第１の設定データと前記第２の項目の前記第２の設定データと前記残りの項目の現在の設定データに最も近い組み合わせを選択することを特徴とする請求項１３に記載の制御方法。
【請求項１６】
設定変更の警告をすることを特徴とする請求項１２または１５に記載の制御方法。
【請求項１７】
コンピュータに請求項１２乃至１６のいずれか１項に記載の制御方法を実行させるためのプログラム。
【手続補正２】
【補正対象書類名】明細書
【補正対象項目名】０００９
【補正方法】変更
【補正の内容】
【０００９】
本発明の撮像装置は、被写体の光学像を形成する複数の結像光学系と、前記複数の結像光学系にそれぞれ対応する撮像領域を有し、対応する結像光学系が形成した前記光学像を光電変換する撮像素子を有する撮像装置であって、出力画素数と、フレームレートと、前記複数の結像光学系の少なくとも二つの結像光学系を使用して実現可能な複眼機能と、の関係を表すテーブルを記憶する記憶手段と、前記出力画素数、前記フレームレート、および、前記複眼機能を含む複数の項目のうちの第１の項目の設定データとして第１の設定データが入力された場合、前記記憶手段に格納された前記テーブルにおいて前記第１の項目が前記第１の設定データになる前記複数の項目の組み合わせに基づいて、前記複数の項目のうち前記第１の項目を除いた残りの項目の設定データを設定する制御手段と、を有することを特徴とする。